(57)【要約】【課題】映像録画システムの操作性を高めてより良い撮影視角を維持し、かつ映像録画システムを雲台に取付ける利便性を高めることができ、雲台のふ仰回転角度を制御し、映像録画システムの撮影視角を調整でき、また、映像録画システムの取付けの利便性を高める回転装置を備えた雲台を提供する。【解決手段】制御基台は制御信号を受信して映像録画システムの定位置状態の調整制御に使われる。回転台は制御基台に連結されて映像録画システムを回転することに使われて映像録画システムの水平回転角度を調整する。回転装置は回転台に枢接されて映像録画システムの重さを載せることに使われ、映像録画システムを回転台に垂直する回転方向で回転するようにして映像録画システムのふ仰角度を調整する。【選択図】　　図１
0003098810.tif 000002
【実用新案登録請求の範囲】
【請求項１】
映像録画システムの架設に使われる雲台であって、
前記雲台は少なくとも、
制御信号を受信して映像録画システムの位置の調整制御に使われる制御基台と、
第一リングが設けられ、第一リングの内側表面には複数個の第一凹溝が設置されており、制御基台に連結されて映像録画システムを回転することに使われ、それによって映像録画システムの水平回転角度を調整する回転台と、
回転台に枢接されて映像録画システムの重さを載せることに使われ、映像録画システムを回転台に垂直する回転方向で回転するようにし、それによって映像録画システムのふ仰角度を調整する回転装置と
を含み、
前記回転装置は、
第二リング及び第二凹溝が設けられ、第二リングの内側表面には複数個の第三凹溝が設けられてある基台と、
基台の第三凹溝に嵌め付けられて基台に連結される複数個の第一突起が設けられ、回転台の第一リングを貫き通って第一リング及び第二リングの間で移動し、それによって回転装置の回転状態を制御するロッドと、
基台の第二凹溝に連結されて映像録画システムとの連結に使われ、映像録画システムの取り外しを便利にする支持台と、
基台に枢接されて支持台の締め付け固定に使われ、それによって迅速に支持台を基台に定位置させる締め付け部材と
を含む、雲台。
【請求項２】
それら突起が同時に回転台の第一凹溝及び回転装置の第二凹溝に連結された場合、回転装置は回転台に固定される、請求項１に記載の雲台。
【請求項３】
それら突起が回転装置の第二凹溝だけに連結された場合、回転装置はロッドを軸として任意に角度の回転を行うことができる、請求項１に記載の雲台。
【請求項４】
その回転装置には更にばねが含まれ、それはロッドと基台の第二リング間に設置され、ばねの弾力によってロッドの第一リング及び第二リングでの定位置点を制御する、請求項１に記載の雲台。
【請求項５】
そのロッドには第二突起が含まれ、それはロッドの表面に位置して基台の第二リングに取付けられ、それによってロッドは第一リングと第二リングに沿って直線移動を行う、請求項１に記載の雲台。
【請求項６】
その制御基台は電源連接器を使用して動力源を入力し、その制御基台は、
制御信号の入力に使われる信号接続器と、
伝送回路を利用することによって信号接続器へ連結し、制御信号を回転台へ伝送するソケットと、
信号接続器へ連結され、遠隔での雲台の回転制御に使われ、各方向からの信号の受信を便利にし、かつ制御の距離を延長するレシーバと
を含む、請求項１に記載の雲台。
【請求項７】
その回転台には更に、
電源連結器からの動力及び制御信号を受け、モータを回して動力を出力して回転台を駆動し、その中、電源スイッチを利用してモータの起動／停止の制御を行うモータと、
制御基台に連結され、かつモータの回転軸に噛み合い、それによって回転台と回転装置は相対した運動が発生し、回転台を回転するギアー・セットと
を含む、請求項６に記載の雲台。
【請求項８】
雲台に使われる回転装置の一種で、それはふ仰角度を調整し、並びに映像録画システムを乗せるもので、その回転装置は少なくとも、
第二リング及び第二凹溝が設けられ、第二リングの内側表面には複数個の第三凹溝が設けられてある基台と、
基台の第三凹溝に嵌め付けられ基台に連結されて複数個の第一突起が設けられ、回転台の第一リングを貫き通って第一リング及び第二リングの間で移動し、それによって回転装置の回転状態を制御するロッドと、
基台の第二凹溝に連結されて映像録画システムとの連結に使われ、映像録画システムの取り外しを便利にする支持台と、
基台に枢接されて支持台の締め付け固定に使われ、それによって迅速に支持台を基台に定位置させる締め付け部材と
を含む、雲台。
【請求項９】
それら突起が同時に回転台の第一凹溝及び回転装置の第二凹溝に連結された場合、回転装置は回転台に固定される、請求項８に記載の雲台。
【請求項１０】
それら突起が回転装置の第二凹溝だけに連結された場合、回転装置はロッドを軸として任意に角度の回転を行うことができる請求項８に記載の雲台。
【請求項１１】
その回転装置には更にばねが含まれ、それはロッドと基台の第二リング間に設置され、ばねの弾力によってロッドの第一リング及び第二リングでの定位置点を制御する、請求項８に記載の雲台。
【請求項１２】
そのロッドには第二突起が含まれ、それはロッドの表面に位置して基台の第二リングに嵌め付けられ、それによってロッドは第一リングと第二リングに沿って直線移動を行う、請求項８に記載の雲台。
【考案の詳細な説明】
【０００１】
【考案が属する技術分野】
本考案は雲台に関するもので、特に回転装置を備えた雲台の一種に関し、回転装置を利用して雲台のふ仰回転角度を制御し、かつ支持台によって回転装置に取付ける。
【０００２】
【従来技術の内容】
情報技術の急速な発展に伴い、映像録画システムの使用はますます普及され、よく見られる映像録画システムはデジタル・スチール・カメラ（Ｄｉｇｉｔａｌ　Ｓｔｉｌｌ　Ｃａｍｅｒａ，　ＤＳＣ）、デジタル・ビデオ（Ｄｉｇｉｔａｌ　Ｖｉｄｅｏ，　ＤＶ）・カメラまたはビデオ・モニターが含まれる。デジタル・スチール・カメラ及びデジタル・ビデオ・カメラの使用の安定性から言えば、映像録画システムは手で持って撮影を行うが、手持ちですと振れるのでこれら録画システムを固定脚に設置し、設備の安定性を高める必要がある。また、長時間の景色撮影を行う場合、常に固定脚の位置を調整し、より広い撮影視角が得られるようにしなければならない。そのために、安定性及び撮影視角から言えば、いかにして映像録画システムの安定性及び含まれる範囲を高めるかは実に必要性のあることである。
【０００３】
伝統的に、デジタル・ビデオ・カメラを固定脚の雲台に固定するのは、主として雲台上のねじでカメラを締め付け、それから固定角度をもって特定の景色に対して連続的モニター撮影を行うが、このような伝統的デジタル・ビデオ・カメラの固定法には欠点がある。先ず、デジタル・ビデオ・カメラの撮影角度を調整する場合、固定脚を移動して視角を調整しなければならなく、操作上かなり不便であり、かつデジタル・ビデオ・カメラを精確な視角方向へ調整することができない。次に、雲台の回転を通じてデジタル・ビデオ・カメラの視角を変えても、固定した回転平面、通常は雲台で構成された回転平面で回すだけで、撮影の視角はかなり局限され、撮影の死角に形成される。
【０００４】
【考案が解決しようとする課題】
そこで、いかにして雲台の構造を改善し、映像録画システムの操作性を高めてより良い撮影視角を維持し、かつ映像録画システムを雲台に取付ける利便性を高めることは、現在の業界での解決するべき課題である。
【０００５】
本考案の一つの目的は回転装置を利用して雲台のふ仰回転角度を制御し、映像録画システムの撮影視角を調整する回転装置を備えた雲台を提供することである。
【０００６】
本考案のもう一つの目的は支持台を利用して映像録画システムを締め付け、支持台によって回転装置に取付け、取付けの利便性を高める回転装置を備えた雲台を提供することである。
【０００７】
【課題を解決するための手段】
上記目的を達成するために、本考案は回転装置を備えた雲台を案出した。それの主要は制御基台、回転台及び回転装置が含まれる。その中、制御基台は制御信号を受信して映像録画システムの定位置状態の調整制御に使われる。回転台は制御基台に連結されて映像録画システムを回すことに使われ、それによって映像録画システムの水平回転角度を調整する。回転装置は回転台に枢接されて映像録画システムの重さを載せることに使われ、映像録画システムを回転台に垂直する回転方向で回転するようにし、それによって映像録画システムのふ仰角度を調整する。
【０００８】
回転装置の主要は基台、ロッド、支持台及び締め付け部材が含まれる。回転台には第一リングが設けられ、第一リングの内側表面には複数個の第一凹溝が設置されてある。この他、基台には第二リング及び第二凹溝が設けられ、第二リングの内側表面には複数個の第三凹溝が設けられてある。ロッドは基台に連結されて複数個の第一突起が設けられ、第一突起は基台の第三凹溝に嵌め付けられ、かつロッドは回転台の第一リングを貫き通って第一リング及び第二リングの間で移動し、それによって回転装置の回転状態を制御する。
【０００９】
支持台は基台の第二凹溝に連結されて映像録画システムとの連結に使われ、それによって映像録画システムの取り外しを便利にする。締め付け部材は基台に枢接されて支持台の締め付け固定に使われ、それによって迅速に支持台を基台に定位置させる。第一突起が同時に回転台の第一凹溝及び回転装置の第二凹溝に連結された場合、回転装置は回転台に固定される。もし第一突起が回転装置の第二凹溝だけに連結された場合、回転装置はロッドを軸として任意に角度の回転を行うことができる。
【００１０】
すなわち、本考案の雲台は雲台のふ仰回転角度を制御して任意角度の定位置を行うことができ、かつ支持台を利用して回転装置に取付け、雲台と映像録画システムの取付けをより便利にすることができる。
【００１１】
伝統的雲台の欠点に対し、本考案は回転装置を備えた雲台を提出し、回転装置を利用して雲台のふ仰回転角度を制御し、映像録画システムの撮影視角を調整して任意角度で定位置を行う。更に支持台を利用して映像録画システムを締め付け、並びに支持台を回転装置に取付け、雲台と映像録画システムの取付けをより便利にする。更に進んでレシーバを使い、映像録画システムの制御距離を延長する。本考案の雲台は各種映像録画システム、例えば、デジタル・スチール・カメラ（ＤＳＣ）、デジタル・ビデオ・カメラ（ＤＶ）及びビデオ・モニターの架設に使われる。
【００１２】
【考案の実施の形態】
本考案の上記及びその他目的、特徴及び利点が更に明確で分かりやすくするため、次の図面と合わして詳しく説明する。
【００１３】
図１〜図６はそれぞれ本考案の第一実施例による雲台を示す図で、順に、正面を表す斜視図、背面を表す斜視図、正面図、側面図、断面図及び背面表図が含まれ、それらは本考案雲台の全体構造の説明に使われる。この雲台１００の要部は制御基台１０２、回転台１０４及び回転装置１０６が含まれる。その中、制御基台１０２は制御信号を受信して映像録画システムの定位置状態の調整制御に使われる。回転台１０４は制御基台１０２に連結されて映像録画システムを回すことに使われ、それによって映像録画システムの水平回転角度を調整する。回転装置１０６は回転台１０４に枢接されて映像録画システムの重さを載せることに使われ、映像録画システムを回転台１０４に垂直の回転方向で回転するようにし、それによって映像録画システムのふ仰角度を調整する。本考案の特徴を更に明確に分かってもらうため、後で詳しく説明する。
【００１４】
図７は図１の雲台１００の回転装置の分解図、図８は図１の雲台の回転装置のふ仰角度について表す図である。回転装置１０６の要部は基台１０８、ロッド１１０、支持台１１２及び締め付け部材１１４が含まれる。回転台１０４には第一リング１１６ａが設けられ、第一リング１１６ａの内側表面には複数個の第一凹溝１１８が設置されてある。この他、基台１０８には第二リング１１６ｂ及び第二凹溝１２０が設けられ、第二リング１１６ｂの内側表面には複数個の第三凹溝１２２が設けられてある。ロッド１１０は基台１０８に連結されて複数個の第一突起１２４が設けられ、第一突起１２４は基台１０８の第三凹溝１２０に嵌め付けられ、かつロッド１１０は回転台１０４の第一リング１１６ａを貫き通って第一リング１１６ａ及び第二リング１１ｂの間で移動し、それによって回転装置１０６の回転状態を制御する。
【００１５】
支持台１１２は基台１０８の第二凹溝１２０に連結されて映像録画システムとの連結に使われ、それによって映像録画システムの取り外しを便利にする。締め付け部材１１４は基台１０８に枢接されて支持台１１２の締め付け固定に使われ、それによって迅速に支持台１１２を基台１０８に定位置させる。第一突起１２４が同時に回転台１０４の第一凹溝１１８及び回転装置１０６の第二凹溝１２０に連結された場合、回転装置１０６は回転台１０４に固定される。もし第一突起１２４が回転装置１０６の第二凹溝１２０だけに連結された場合、回転装置１０６はロッド１１０を軸として任意に角度の回転を行うことができる。
【００１６】
具体的に言うと、図８に於いて、回転装置１０６はロッド１１０の制御を受け、ロッド１１０を押すと回転装置１０６と回転台１０４は離脱状態になり、回転装置１０６上の録画システムは任意な角度で回すことができ、ロッド１１０を放すと回転装置１０６は固定状態になり、録画システムの固定が完成される。操作する時は如何なる工具を必要としなくても回転装置１０６を迅速に回すことができ、操作はかなり便利であり、もっとも重要なことは、録画システムは回転台１０４を使って撮影の角度を調整するほか、更に上向きまたは下向きすることによってふ仰角度の制御が形成され、録画システムの視界エリアに含まれる範囲は更に大きく広くなる。
【００１７】
本考案の最適実施例に於いて、回転装置１０６には更にばね１２６が含まれ、それはロッド１１０と基台１０８の第二リング１１６ｂ間に設置され、ばね１２６の弾力によってロッド１１０の第一リング１１６ａ及び第二リング１１６ｂでの定位置を制御する。ばね１２６はたとえ圧縮ばねでもよい。
【００１８】
図９は図１のＡ−Ａ断面図である。ロッド１１０には第二突起１２８が含まれ、それはロッド１１０の表面に位置して基台１０８の第二リング１１６ｂに嵌め付けられ、それによってロッド１１０は第一リング１１６ａと第二リング１１６ｂに沿って直線移動を行う。なおかつ第二突起１２８は第二リング１１６ｂの凹溝に嵌め付けられ、それによってロッド１１０のリング（１１６ａ、１１６ｂ）からの滑り出しを防ぎ、合わせ及び定位置の効果が達成される。
【００１９】
続いて図９を参照すると、回転台１０４にはモータ１３０及びギアー・セット１３２が含まれる。モータ１３０は電源連結器からの動力及び制御信号を受け、電源はたとえ変圧器からの直流電源または電池でもよく、モータ１３０を回して動力を出力して回転台１０４を駆動し、その中、電源スイッチでモータの起動／停止を制御する。ギアー・セット１３２は制御基台１０２に連結され、かつモータ１３０の回転軸に噛み合い、それによって回転台１０４と回転装置１０６は相対した運動を発生し、回転台１０４を回転する。
【００２０】
図１０に示す本考案の雲台にレシーバを備えた図である。制御基台１０２は電源連接器１３４を使用して動力源を入力し、制御基台１０２の主要は信号接続器１３６、ソケット１３８及びレシーバ１４２が含まれる。その中、信号接続器１３６は制御信号の入力に使われる。ソケット１３８は伝送回路を利用することによって信号接続器１３６へ連結し、制御信号を回転台１０４へ伝送する。リモート・コントローラ１４０はレシーバ１４２及びソケット１４４の利用によって信号接続器１３６へ連結し、遠隔での雲台１００の回転制御に使われ、各方向からの信号の受信を便利にし、かつ制御の距離を延長するが、それはバード・ウォッチングまたはそのた観察活動に適用される。
【００２１】
図１１は本考案の別の実施例による雲台にレシーバを備えた図である。この雲台１００の主要は制御基台１０２、回転台１０４及び回転装置１０６が含まれる。制御基台１０２は電源連結器１３４を使用して動力源を入力し、かつ電源スイッチ１４６でモータの起動／停止の操作を制御し、すなわち、電源スイッチ１４６がオンされると、電力は直接回転台１０４を駆動し、回転台１０４は固定速度で往復に回転し、持続して録画システムを動かし、ビデオ撮影の動作を行う。同じく回転装置１０６は回転台１０４に枢接されて映像録画システムの重さを載せることに使われ、映像録画システムを回転台１０４に垂直する回転方向で回転するようにし、それによって映像録画システムのふ仰角度を調整する。
【００２２】
【考案の効果】
上記をまとめると、本考案は回転装置を備えた雲台の利用により、回転装置を利用して雲台のふ仰回転角度を制御し、映像録画システムの撮影視角を調整して任意の角度で定位置を行い、映像録画システムのビジュアル・エリアを増やす。更に支持台を利用して映像録画システムを締め付け、並びに支持台を回転装置に取付け、雲台と映像録画システムの取付けをより便利にし、映像録画システムをねじで直接雲台に締め付ける問題を解決する。更に進んで遠隔レシーバを使い、映像録画システムの制御距離を延長し、長距離観測撮影の応用に適用される。
【００２３】
本考案はすでに最適実施例を上記のように開示したが、それは本考案の実施の了解を助力するだけで、本考案の精神を制限するものではなく、この分野の技術を熟知するものが本考案の精神を了解した後、本考案の精神を離脱しない範囲に於いて、多少の変更装飾及び同等変化や入れ替えを行うことができ、それの特許保護範囲は添付される特許申請の範囲及びそれの同等分野によって決められる。
【図面の簡単な説明】
【図１】本考案の実施例による立体正面を表す図である。
【図２】本考案の実施例による立体裏面を表す図である。
【図３】本考案の実施例による正面を表す図である。
【図４】本考案の実施例による側面を表す図である。
【図５】本考案の実施例による平面断面図である。
【図６】本考案の実施例による背面を表す図である。
【図７】図１に示す回転装置の分解図である。
【図８】図１に示す回転装置のふ仰角度を表す図である。
【図９】図１のＡ−Ａ断面を表す図である。
【図１０】レシーバを備えた雲台の立体を表す図である。
【図１１】本考案の別の実施例によるレシーバを備えた雲台の立体を表す図である。
【符号の説明】
１００　　雲台　　　　　　　　　　１０２　　制御基台
１０４　　回転台　　　　　　　　　１０６　　回転装置
１０８　　基台　　　　　　　　　　１１０　　ロッド
１１２　　支持台　　　　　　　　　１１４　　締め付け部材
１１６ａ　　第一リング　　　　　　１１６ｂ　　第二リング
１１８　　第一凹溝　　　　　　　　１２０　　第二凹溝
１２２　　第三凹溝　　　　　　　　１２４　　第一突起
１２６　　ばね　　　　　　　　　　１２８　　第二突起
１３０　　モータ　　　　　　　　　１３２　　ギアー・セット
１３４　　電源連結器　　　　　　　１３６　　信号接続器
１３８　　ソケット　　　　　　　　１４０　　リモート・コントローラ
１４２　　レシーバ　　　　　　　　１４４　　ソケット
１４６　　電源スイッチ
【図１】
0003098810.tif 000003
【図２】
0003098810.tif 000004
【図３】
0003098810.tif 000005
【図４】
0003098810.tif 000006
【図５】
0003098810.tif 000007
【図６】
0003098810.tif 000008
【図７】
0003098810.tif 000009
【図８】
0003098810.tif 000010
【図９】
0003098810.tif 000011
【図１０】
0003098810.tif 000012
【図１１】
0003098810.tif 000013